(57)【要約】【課題】リード線が断線することなく、すっきりとした形でイオン発生電極体を昇降させることができる電動ブラインドを提供する。【解決手段】電動ブラインド１は、制御ボックス４内に設けられた内部電源１１と、ワイヤ３Ａ，３Ｂを介してワイヤ巻取り棒７に巻取り可能に吊架された吊板５と、この吊板５に設けられ前記内部電源１１にリード線１２Ａ，１２Ｂを介して電気的接続されるイオン発生電極体１３と、前記ワイヤ巻取り棒７を回転駆動するモータ６と、前記ワイヤ３Ａ，３Ｂ及び前記リード線１２Ａ，１２Ｂが挿通されるスラット２とを備える。スラット２が降りた状態からモータ６を動作させると、ワイヤ３Ａ，３Ｂが巻き取られ、吊板５とともにイオン発生電極体１３が上昇するとともに、リード線１２Ａ，１２Ｂがリード線巻き取り棒９に巻き取られ、前記制御ボックス４内に収納される。【選択図】      図１
2004316348.tif 000002
【特許請求の範囲】
【請求項１】
複数の吊板を備えた昇降装置において、前記吊板の少なくとも１つにイオンを発生するイオン発生器を備えたことを特徴とする昇降装置。
【請求項２】
制御ボックス内に設けられた電源と、ワイヤを介してワイヤ巻取り体に巻取り可能に吊架された吊板と、この吊板に設けられ前記電源に紐状または帯状の結線手段を介して電気的接続されるイオン発生電極体と、前記ワイヤ巻取り体を回転駆動する駆動手段と、を備え、前記結線手段を前記ワイヤの巻取りと連動して前記制御ボックス内に収納することを特徴とする昇降装置。
【請求項３】
前記結線手段を巻き取る結線手段巻取り体を別途備えることを特徴とする請求項２に記載の昇降装置。
【請求項４】
前記駆動手段は、前記ワイヤ巻取り体と前記結線手段巻き取り体を同時に回転駆動することを特徴とする請求項３に記載の昇降装置。
【請求項５】
前記吊板の自重が前記ワイヤにのみ作用することを特徴とする請求項２〜４のいずれかに記載の昇降装置。
【請求項６】
請求項２〜５のいずれかに記載の昇降装置と、前記ワイヤ及び前記結線手段が挿通される複数のスラットとを備えたことを特徴とする電動ブラインド。
【発明の詳細な説明】
【０００１】
【発明の属する技術分野】
本発明は、高い位置に設けられる電源に電気的接続されたイオン発生電極を含む電極体を結線したまま昇降させる昇降装置及びそれを備えた電動ブラインドに関するものである。
【０００２】
【従来の技術】
ブラインドは、日除け、目隠し等を主目的とするものであるが、その他の機能を持たせた製品も市場に出ている。一例として、スラットにトルマリンの微粉末を付加したものがあり、トルマリンの持つ空気の負イオン化作用により、生体に好ましい負イオン環境を得ることができる（特許文献１参照。）。
【０００３】
【特許文献１】
特開平９−３０３０６５号公報  （第００１２段落、第１図）
【０００４】
【発明が解決しようとする課題】
しかし、家庭用のベネチアンブラインドに、高電圧の印加によって正負イオンを発生するイオン発生電極体を備えたものは報告されていない。イオン発生電極体に高電圧を印加することにより、正負両イオンを発生させ、空気中に浮遊するカビや菌を不活化して、居住空間の壁、窓枠、スラット表面などにカビが増殖することを防止できると期待されるが、一般家庭用のベネチアンブラインドでは、需要やコストの面からそのような電気部品を敢えて設けるメリットが薄いということが考えられる。
【０００５】
これに対し、電動のスラット昇降機構を備えた電動ブラインドでは、内部電源を制御ボックス内に設けたものがあるため、この内部電源を使用してイオン発生電極体に高電圧を印加することが可能である。また、イオン発生電極体は、薄い板状のものが開発されており、スラットの並びの下端部に配される吊板などに設けることで、別途ファンを設けなくても、自然風を利用して正負イオンを送ることが可能となる。
【０００６】
この場合、イオン発生電極体の電極は、リード線などで内部電源に電気的接続されるが、吊板を吊り下げるワイヤ自体に同軸ケーブルを使用すると、吊板の重力によりワイヤに強いテンションが掛かるため、断線する恐れがあり、危険である。
【０００７】
本発明は、上記の問題に鑑みてなされたものであり、リード線が断線することなく、すっきりとした形でイオン発生電極体を昇降させることができる昇降装置及びそれを備えた電動ブラインドを提供することを目的とする。
【０００８】
【課題を解決するための手段】
上記目的を達成するために本発明は、複数の吊板を備えた昇降装置において、前記吊板の少なくとも１つにイオンを発生するイオン発生器を備えたことを特徴とする。
【０００９】
この構成によると、複数の吊板の昇降に伴って、吊板の少なくとも１つに設けられたイオン発生器が昇降する。
【００１０】
また、本発明の昇降装置は、制御ボックス内に設けられた電源と、ワイヤを介してワイヤ巻取り体に巻取り可能に吊架された吊板と、この吊板に設けられ前記電源に紐状または帯状の結線手段を介して電気的接続されるイオン発生電極体と、前記ワイヤ巻取り体を回転駆動する駆動手段と、を備え、前記結線手段を前記ワイヤの巻取りと連動して前記制御ボックス内に収納することを特徴とする。
【００１１】
この構成において、駆動手段を正方向に動作させると、ワイヤ巻取り体が正回転し、ワイヤが巻き取られることにより、吊板とともにイオン発生電極体が上昇するとともに、結線手段が制御ボックス内に収納される。また、駆動手段を逆方向に動作させると、ワイヤ巻取り体が逆回転し、ワイヤがワイヤ巻取り体から延びることにより、吊板とともにイオン発生電極体が下降する。
【００１２】
そして、前記結線手段を巻き取る結線手段巻取り体を別途備えることで、結線手段を巻き取って制御ボックス内に収納できる。
【００１３】
その上、前記ワイヤ巻取り体と前記結線手段巻き取り体を同時に回転駆動することで、ワイヤ巻取り体と結線手段巻取り体の回転駆動を一つの駆動手段で賄え、装置の構成を簡素化することができ、制御ボックスのコンパクト化が図られる。
【００１４】
そして、結線手段をワイヤよりもたるんだ状態で取り付けることにより、吊板の自重はもっぱらワイヤに作用し、結線手段にはテンションが掛からないようにすることができる。
【００１５】
そして、本発明の電動ブラインドは、上記昇降装置と、前記ワイヤ及び前記結線手段が挿通される複数のスラットとを備えたことを特徴とする。
【００１６】
この構成によると、スラットが降りた状態で、電源からイオン発生電極体にパルス高電圧を印加すると、正負イオンが発生し、並んだスラットの間隙を通過する自然風に搬送されて部屋や窓際に正負イオンが供給される。
【００１７】
【発明の実施の形態】
以下に本発明の実施形態について図面を参照して説明する。図１は、本発明に係る電動ブラインドの透視斜視図である。
【００１８】
電動ブラインド１は、平行に設けられた複数枚のスラット２を備えている。スラット２の並びの下端部には、スラット２の長手方向にその長手方向を有する吊板５が設けられている。吊板５には、後述するように、イオン発生電極体１３が設けられている。
【００１９】
また、スラット２の並びの上方には、スラット２の長手方向にその長手方向を有する制御ボックス４が設けられている。吊板５は、長手方向の両端部でワイヤ３Ａ、３Ｂを介して昇降可能に吊り下げられている。
【００２０】
スラット２は、長手方向の両端部に、長手方向と直交する方向に長い長円形の貫通穴２ａ，２ｂを備えている。貫通穴２ａ，２ｂにはワイヤ３Ａ，３Ｂ及びリード線１２Ａ，１２Ｂがそれぞれ挿通されている。また、電動ブラインド１は図示しないスラット２の角度調節機構を備えており、この角度調節機構により、スラット２は鉛直下方に落ちないように等間隔に並んで支持されるとともに、角度を調節することができる。スラット２は、吊板５の上昇によって吊板５に持ち上げられる形で上昇する。
【００２１】
図２は、上記電動ブラインド１の正面断面図である。吊板５は扁平な枠体５１で形成されている。枠体５１の上面には、矩形の開口部５１ａが設けられている。開口５１ａからイオン発生電極体１３が外部に臨むように設けられている。
【００２２】
イオン発生電極体１３の構成について説明する。図３は、イオン発生電極体１３の外観斜視図であり、図４はイオン発生電極体１３の断面図である。イオン発生電極体１３は、平板状の誘電体２１１の表面に設けられた表面電極２１３と、該表面電極２１３に電力を供給するため誘電体２１１の表面に設けられる表面電極接点２１５と、誘電体２１１の内部に埋設され且つ前記表面電極２１３と平行に設けられた内部電極２１２と、該内部電極２１２に電力を供給するため誘電体２１１の表面に設けられる内部電極接点２１４を有している。誘電体２１１は、上板２１１ａ、下板２１１ｂ、表面保護板２１１ｃにより構成される。
【００２３】
次に、イオン発生電極体１３の昇降装置の構成について図１及び図２を参照して説明する。制御ボックス４内部の長手方向の一端部には、ワイヤ３Ａ，３Ｂの巻取り用モータ６が設けられている。モータシャフト６ａの方向は、制御ボックス４の長手方向と一致し、その先端は制御ボックス４の他端側を向いている。
【００２４】
モータ６の上方には、円柱型のワイヤ巻取り棒７が、両端に設けられた回転軸７ａ，７ｂによって、制御ボックス４側面の内壁に回転可能に軸支されている。一端側の回転軸７ａとモータシャフト６ａの間には、ベルト８が懸架されている。モータ６の下方には、ミシン糸のボビンを長くした形状のリード線巻き取り棒９が、両端に設けられた回転軸９ａ，９ｂによって、制御ボックス４側面の内壁に回転可能に軸支されている。一端側の回転軸９ａとモータシャフト６ａの間には、ベルト１０が懸架されている。この構成において、モータ６を駆動すると、シャフト６ａが正又は逆方向に回転し、ベルト８，１０によってその回転が回転軸７ａ及び９ａに伝わり、ワイヤ巻取り棒７及びリード線巻き取り棒９が正又は逆方向に回転する。
【００２５】
ワイヤ３Ａ、３Ｂの一端は、ワイヤ巻取り棒７の外周面の長手方向の両端部にそれぞれ取り付けられている。ワイヤ３Ａ，３Ｂの他端は、吊板５の長手方向の両端部に取り付けられている。これにより、吊板５はワイヤ巻取り棒７に吊り下げられる。
【００２６】
ワイヤ巻取り棒７が正方向に回転すると、ワイヤ３Ａ，３Ｂはワイヤ巻取り棒７の周囲に巻き取られ、吊板５は上昇する。そして、ワイヤ巻取り棒７が逆方向に回転すると、ワイヤ３Ａ，３Ｂはワイヤ巻取り棒７から延び、吊板５は下降する。
【００２７】
リード線１２Ａ、１２Ｂの一端は、リード線巻取り棒９の外周面の長手方向の両端部にそれぞれ接着されるとともに、リード線巻き取り棒９の内側へ通され、回転軸９ａの内部を通って外部へ導かれ、内部電源１１に接続されている。
【００２８】
リード線１２Ａの他端は、吊板５の枠体５１の長手方向の一端部上面から枠体５１内部に入り、枠体５１の内部を通って表面電極接点２１５に接続されている。リード線１２Ｂの他端は、吊板５の枠体５１の長手方向の他端部上面から枠体５１内部に入り、枠体５１の内部を通って内部電極接点２１４に接続されている。
【００２９】
ここで、リード線１２Ａ，１２Ｂはワイヤ３Ａ、３Ｂよりも若干たるませた状態で取り付けられている。そのため、吊板５の自重はもっぱらワイヤ３Ａ、３Ｂに作用し、リード線１２Ａ，１２Ｂにはテンションが掛かることがないため、断線の恐れがなく、安全である。
【００３０】
上記構成のもと、リード線巻取り棒９が正方向に回転すると、リード線１２Ａ，１２Ｂはリード線巻取り棒９の周囲に巻き取られていく。したがって、吊板５が上昇すると、リード線１２Ａ，１２Ｂは制御ボックス４内にすっきりと収納される。このため、リード線１２Ａ，１２Ｂが邪魔にならず、感電の危険性もない。そして、リード線巻取り棒９が逆方向に回転すると、リード線１２Ａ，１２Ｂはその回転量だけワイヤ３Ａ、３Ｂと同期して延びる。
【００３１】
次に、イオン発生電極体１３の使用形態について説明する。スラット２が完全に降りた状態で、内部電源１１によりリード線１２Ａ，１２Ｂを介してイオン発生電極体１３の内部電極２１２−表面電極２１３間に交流高電圧を印加することにより、空気中の酸素ないしは水分が電離によりエネルギーを受けてイオン化し、Ｈ＋（Ｈ２Ｏ）ｍ（ｍは任意の自然数）とＯ２−（Ｈ２Ｏ）ｎ（ｎは任意の自然数）を主体とした正負イオンが生成する。
【００３２】
例えば、共に約０．４５ｍｍの厚さを有する上板２１１ａ及び下板２１１ｂを重ねて形成された約１５ｍｍ×３７ｍｍ×０．９ｍｍなるサイズの誘電体２１１の表面に、０．２５ｍｍの線幅を０．８ｍｍピッチにて縦横に並べ、約１０．４ｍｍ×２８ｍｍなる大きさを有するグリッド状の表面電極２１３を形成する一方、上板２１１ａと下板２１１ｂとの間に、約６ｍｍ×２４ｍｍなる大きさを有する面状の内部電極２１２を形成し、これらの間に、略４．６ＫＶ（ピーク値）、２２ｋＨｚなる周波数を有する高圧交流電圧を印加したところ、両電極２１２，２１３間に発生するプラズマ放電の作用により、イオン発生電極体１３から２５ｃｍ離れた位置において測定したところ、夫々２０万個／ｃｃを超える正イオン及び負イオンが発生することが確かめられた。このイオン発生量は、一般的な大きさの居室用の空気清浄として機能させるために充分な量である。
【００３３】
なお、イオン発生量は、イオン発生電極体１３のサイズを大とすることによって、増加するとともに、駆動電圧を高くすることによっても増加することができる。但し、駆動電圧を高くした場合、オゾン発生量が合わせて増大するため、駆動電圧を過度に高めることは望ましくなく、例えば駆動電圧を間欠的に印加することでオゾン発生量を抑え、あわせて省エネ化を図ることが望ましい。本実施の形態では、誘電体の厚みがあるが、薄いフィルム状であっても構わない。
【００３４】
これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００３５】
正負イオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を不活化、除去することができる。
2004316348.tif 000003
【００３６】
以上のメカニズムにより、上記正負イオンの放出により、浮遊菌等の不活化の効果を得ることができる。
【００３７】
また、上記式（１）〜式（３）は、空気中の有害物質表面でも同様の作用を生じさせることができるため、活性種である過酸化水素（Ｈ２Ｏ２）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害となる。
【００３８】
したがって、イオン発生電極体１３によって発生させた正負イオンを自然風によって空間に送り出すことにより、これらの正負イオンの作用により空気中に浮遊するカビや菌を不活化し、ブラインド本体や居住空間でカビの増殖を抑制することができる。
【００３９】
その他、正負イオンには、インフルエンザウィルス、コクサッキーウィルスなどのウィルス類も不活化する働きがあり、これらウィルスの混入による汚染が防止できる。
【００４０】
なお、本実施の形態では、吊板が１つのみの場合を示したが、同列に複数の吊板が設けられており、その少なくとも１つにイオン発生電極体、あるいはイオン発生電極体と電源回路とをユニット化したイオン発生器を備えたものであっても構わない。
【００４１】
【発明の効果】
本発明によると、駆動手段を正方向に動作させると、ワイヤ巻取り体が正回転し、ワイヤが巻き取られることにより、吊板とともにイオン発生電極体が上昇するとともに、結線手段が制御ボックス内に収納される。また、駆動手段を逆方向に動作させると、ワイヤ巻取り体が逆回転し、ワイヤがワイヤ巻取り体から延びることにより、吊板とともにイオン発生電極体が下降する。
【００４２】
したがって、結線手段がたるむことなく、すっきりした形でイオン発生電極体を昇降させることができる。
【００４３】
また、結線手段をワイヤよりもたるんだ状態で取り付けたので、吊板の自重はもっぱらワイヤにのみ作用し、結線手段にテンションが掛からないので、断線の恐れがなく、安全である。
【００４４】
そして、前記ワイヤ及び前記結線手段が挿通されるスラットを複数有する電動ブラインドでは、スラットが降りた状態で、電源からイオン発生電極体にパルス高電圧を印加すると、正負イオンが発生し、並んだスラットの間隙を通過する自然風により部屋や窓際に正負イオンを搬送して、空気中に浮遊するカビや菌を不活化し、ブラインド本体や居住空間でカビの増殖を抑制することができる。
【図面の簡単な説明】
【図１】本発明に係る電動ブラインドの透視斜視図である。
【図２】上記電動ブラインドの正面断面図である。
【図３】吊板に設けられたイオン発生電極体の外観斜視図である。
【図４】同上イオン発生電極体の断面図である。
【符号の説明】
１  電動ブラインド
２  スラット
３Ａ，３Ｂ  ワイヤ
４  制御ボックス
５  吊板
６  モータ
７  ワイヤ巻取り棒
９  リード線巻き取り棒
１１  内部電源
１２Ａ，１２Ｂ  リード線
１３  イオン発生電極体
【図１】
2004316348.tif 000004
【図２】
2004316348.tif 000005
【図３】
2004316348.tif 000006
【図４】
2004316348.tif 000007